(57)【要約】【課題】制御を効率的に行うことができるデジタル一眼レフカメラを提供する。【解決手段】光学ファインダーモードにおいて切り替えボタンが押下されると、ステップＳ２１においてライブビューモードでの表示が開始される。ステップＳ２６において、光学ファインダモードで記憶された測光値、測距値および位置情報について、ライブビューモードで反映させる設定がなされているかどうかを判断する。反映させる設定がなされている場合にはステップＳ２７に進み記憶された測光値および位置情報に基づき露出制御を行った後に、ステップＳ２８に進み記憶された測距値および位置情報に基づき合焦を行う。【選択図】図１５
2006163094.tif 000002
【特許請求の範囲】
【請求項１】
デジタル一眼レフカメラにおいて、
光学ファインダへ被写体光を導くクイックリターンミラーと、
前記クイックリターンミラーにおいて常設位置とアップ位置との間の移動をユーザによる操作に応答して開始させるための操作手段と、
前記クイックリターンミラーが前記常設位置にあるときに動作可能な第１の焦点制御手段と、
前記クイックリターンミラーが前記アップ位置にあるときに動作可能な第２の焦点制御手段と、を備え、
前記移動の前に、前記第１または第２のいずれかの一方の焦点制御手段により得られた焦点制御に関する焦点制御情報を記憶しておき、
前記移動の後に、記憶された前記焦点制御情報を用いて他方の焦点制御手段で焦点制御を行う
ことを特徴とするデジタル一眼レフカメラ。
【請求項２】
請求項１に記載のデジタル一眼レフカメラであって、
前記操作手段は、静止画撮像または動画撮像を開始させるためのレリーズボタンである
ことを特徴とするデジタル一眼レフカメラ。
【請求項３】
請求項１に記載のデジタル一眼レフカメラであって、
前記操作手段は、ライブビューモードと光学ファインダモードとを切り替えるための切り替えボタンである
ことを特徴とするデジタル一眼レフカメラ。
【請求項４】
請求項１乃至請求項３のいずれかに記載のデジタル一眼レフカメラであって、
前記焦点制御情報は、前記第１および第２の焦点制御手段がそれぞれ対象とする被写体の表示画面での２次元位置に関する情報を含む
ことを特徴とするデジタル一眼レフカメラ。
【請求項５】
請求項１乃至請求項４のいずれかに記載のデジタル一眼レフカメラであって、
前記焦点制御情報は、少なくともスポット焦点制御モードおよびワイド焦点制御モードに関する情報を含む
ことを特徴とするデジタル一眼レフカメラ。
【請求項６】
請求項１乃至請求項５のいずれかに記載のデジタル一眼レフカメラであって、
前記焦点制御情報は、前記被写体が移動する方向を予測する動体予測焦点制御モードにおける制御用情報を含む
ことを特徴とするデジタル一眼レフカメラ。
【請求項７】
請求項１乃至請求項６のいずれかに記載のデジタル一眼レフカメラであって、
前記第１の焦点制御手段は、位相差を利用して焦点制御を行い、
前記第２の焦点制御手段は、撮像素子からの画像出力を利用して焦点制御を行う
ことを特徴とするデジタル一眼レフカメラ。
【請求項８】
請求項７に記載のデジタル一眼レフカメラであって、
前記第２の焦点制御手段は、前記クイックリターンミラーが前記アップ位置にあるときに、前記画像出力の色に関する色情報を用いて前記被写体から主被写体を検出することにより前記主被写体の位置に関する主被写体位置情報を生成し、
前記第１の焦点制御手段は、前記クイックリターンミラーが前記常設位置にあるときに、前記第２の焦点制御手段により生成された前記主被写体位置情報を用いて位相差を利用した焦点制御を行う
ことを特徴とするデジタル一眼レフカメラ。
【請求項９】
デジタル一眼レフカメラにおいて、
光学ファインダへ被写体光を導くクイックリターンミラーと、
前記クイックリターンミラーにおいて常設位置とアップ位置との間の移動をユーザによる操作に応答して開始させるための操作手段と、
前記クイックリターンミラーが前記常設位置にあるときに動作可能な第１の露出制御手段と、
前記クイックリターンミラーが前記アップ位置にあるときに動作可能な第２の露出制御手段と、を備え、
前記移動の前に、前記第１または第２のいずれかの一方の露出制御手段により得られた露出制御に関する露出制御情報を記憶しておき、
前記移動の後に、記憶された前記露出制御情報を用いて他方の露出制御手段で露出制御を行う
ことを特徴とするデジタル一眼レフカメラ。
【請求項１０】
請求項９に記載のデジタル一眼レフカメラであって、
前記操作手段は、静止画撮像または動画撮像を開始させるためのレリーズボタンである
ことを特徴とするデジタル一眼レフカメラ。
【請求項１１】
請求項９に記載のデジタル一眼レフカメラであって、
前記操作手段は、ライブビューモードと光学ファインダモードとを切り替えるための切り替えボタンである
ことを特徴とするデジタル一眼レフカメラ。
【請求項１２】
請求項９乃至請求項１１のいずれかに記載のデジタル一眼レフカメラであって、
前記露出制御情報は、前記第１および第２の露出制御手段がそれぞれ対象とする被写体の表示画面での２次元位置に関する情報を含む
ことを特徴とするデジタル一眼レフカメラ。
【請求項１３】
請求項９乃至請求項１２のいずれかに記載のデジタル一眼レフカメラであって、
前記露出制御情報は、少なくともスポット測光モードおよび中央重点平均測光モードにおける制御用情報を含む
ことを特徴とするデジタル一眼レフカメラ。
【請求項１４】
請求項９乃至請求項１３のいずれかに記載のデジタル一眼レフカメラであって、
前記第１の露出制御手段は、前記光学ファインダ近傍に設置された測光センサを含み、
前記第２の露出制御手段は、撮像素子からの画像出力を利用して測光を行う、
ことを特徴とするデジタル一眼レフカメラ。
【請求項１５】
請求項１４に記載のデジタル一眼レフカメラであって、
前記第２の露出制御手段は、前記クイックリターンミラーが前記アップ位置にあるときに、前記画像出力の色に関する色情報を用いて前記被写体から主被写体を検出することにより前記主被写体の位置に関する主被写体位置情報を生成し、
前記第１の露出制御手段は、前記クイックリターンミラーが前記常設位置にあるときに、前記第２の露出制御手段により生成された前記主被写体位置情報を用いて位相差を利用した露出制御を行う
ことを特徴とするデジタル一眼レフカメラ。
【発明の詳細な説明】
【技術分野】
【０００１】
本発明は、デジタル一眼レフカメラに関する。
【背景技術】
【０００２】
一般に、デジタルカメラは、光学ファインダにて画像を表示する光学ファインダモードと背面モニタにて画像を表示するライブビューモードとの２種類の表示モードを有しており、いずれかの表示モードが切り替えボタンにより選択可能である。このようなデジタルカメラの例は、例えば、特許文献１〜２に開示されている。
【０００３】
また、一般に、デジタルカメラは、選択された表示モードにおいて、ＡＦ（自動焦点制御）やＡＥ（自動露出制御）を行った後に、撮像を行う。デジタルカメラにおけるＡＦとしては、位相差ＡＦとコントラストＡＦとが知られている。このようなデジタルカメラの例は、例えば、特許文献３〜４に開示されている。
【０００４】
【特許文献１】特開２００１−１２５１７３号公報
【特許文献２】特開平７−４３６０５号公報
【特許文献３】特開２００１−２７５０３３号公報
【特許文献４】特開平９−１８１９５４号公報
【発明の開示】
【発明が解決しようとする課題】
【０００５】
従来のデジタルカメラにおいては、表示モードを切り替えた場合に、切り替え前に得られた情報を、切り替え後に必ずしも有効に利用していなかった。そのため、制御を効率的に行うことができないという問題点があった。
【０００６】
本発明は、上記の問題点を解決するためになされたものであり、制御を効率的に行うことができるデジタル一眼レフカメラを提供することを目的とする。
【課題を解決するための手段】
【０００７】
上記の課題を解決するために、請求項１に記載の発明に係るデジタル一眼レフカメラは、デジタル一眼レフカメラにおいて、光学ファインダへ被写体光を導くクイックリターンミラーと、前記クイックリターンミラーにおいて常設位置とアップ位置との間の移動をユーザによる操作に応答して開始させるための操作手段と、前記クイックリターンミラーが前記常設位置にあるときに動作可能な第１の焦点制御手段と、前記クイックリターンミラーが前記アップ位置にあるときに動作可能な第２の焦点制御手段と、を備え、前記移動の前に、前記第１または第２のいずれかの一方の焦点制御手段により得られた焦点制御に関する焦点制御情報を記憶しておき、前記移動の後に、記憶された前記焦点制御情報を用いて他方の焦点制御手段で焦点制御を行うことを特徴とする。
【０００８】
また、請求項２に記載の発明に係るデジタル一眼レフカメラは、請求項１に記載のデジタル一眼レフカメラであって、前記操作手段は、静止画撮像または動画撮像を開始させるためのレリーズボタンであることを特徴とする。
【０００９】
また、請求項３に記載の発明に係るデジタル一眼レフカメラは、請求項１に記載のデジタル一眼レフカメラであって、前記操作手段は、ライブビューモードと光学ファインダモードとを切り替えるための切り替えボタンであることを特徴とする。
【００１０】
また、請求項４に記載の発明に係るデジタル一眼レフカメラは、請求項１乃至請求項３のいずれかに記載のデジタル一眼レフカメラであって、前記焦点制御情報は、前記第１および第２の焦点制御手段がそれぞれ対象とする被写体の表示画面での２次元位置に関する情報を含むことを特徴とする。
【００１１】
また、請求項５に記載の発明に係るデジタル一眼レフカメラは、請求項１乃至請求項４のいずれかに記載のデジタル一眼レフカメラであって、前記焦点制御情報は、少なくともスポット焦点制御モードおよびワイド焦点制御モードに関する情報を含むことを特徴とする。
【００１２】
また、請求項６に記載の発明に係るデジタル一眼レフカメラは、請求項１乃至請求項５のいずれかに記載のデジタル一眼レフカメラであって、前記焦点制御情報は、前記被写体が移動する方向を予測する動体予測焦点制御モードにおける制御用情報を含むことを特徴とする。
【００１３】
また、請求項７に記載の発明に係るデジタル一眼レフカメラは、請求項１乃至請求項６のいずれかに記載のデジタル一眼レフカメラであって、前記第１の焦点制御手段は、位相差を利用して焦点制御を行い、前記第２の焦点制御手段は、撮像素子からの画像出力を利用して焦点制御を行うことを特徴とする。
【００１４】
また、請求項８に記載の発明に係るデジタル一眼レフカメラは、請求項７に記載のデジタル一眼レフカメラであって、前記第２の焦点制御手段は、前記クイックリターンミラーが前記アップ位置にあるときに、前記画像出力の色に関する色情報を用いて前記被写体から主被写体を検出することにより前記主被写体の位置に関する主被写体位置情報を生成し、前記第１の焦点制御手段は、前記クイックリターンミラーが前記常設位置にあるときに、前記第２の焦点制御手段により生成された前記主被写体位置情報を用いて位相差を利用した焦点制御を行うことを特徴とする。
【００１５】
また、請求項９に記載の発明に係るデジタル一眼レフカメラは、デジタル一眼レフカメラにおいて、光学ファインダへ被写体光を導くクイックリターンミラーと、前記クイックリターンミラーにおいて常設位置とアップ位置との間の移動をユーザによる操作に応答して開始させるための操作手段と、前記クイックリターンミラーが前記常設位置にあるときに動作可能な第１の露出制御手段と、前記クイックリターンミラーが前記アップ位置にあるときに動作可能な第２の露出制御手段と、を備え、前記移動の前に、前記第１または第２のいずれかの一方の露出制御手段により得られた露出制御に関する露出制御情報を記憶しておき、前記移動の後に、記憶された前記露出制御情報を用いて他方の露出制御手段で露出制御を行うことを特徴とする。
【００１６】
また、請求項１０に記載の発明に係るデジタル一眼レフカメラは、請求項９に記載のデジタル一眼レフカメラであって、前記操作手段は、静止画撮像または動画撮像を開始させるためのレリーズボタンであることを特徴とする。
【００１７】
また、請求項１１に記載の発明に係るデジタル一眼レフカメラは、請求項９に記載のデジタル一眼レフカメラであって、前記操作手段は、ライブビューモードと光学ファインダモードとを切り替えるための切り替えボタンであることを特徴とする。
【００１８】
また、請求項１２に記載の発明に係るデジタル一眼レフカメラは、請求項９乃至請求項１１のいずれかに記載のデジタル一眼レフカメラであって、前記露出制御情報は、前記第１および第２の露出制御手段がそれぞれ対象とする被写体の表示画面での２次元位置に関する情報を含むことを特徴とする。
【００１９】
また、請求項１３に記載の発明に係るデジタル一眼レフカメラは、請求項９乃至請求項１２のいずれかに記載のデジタル一眼レフカメラであって、前記露出制御情報は、少なくともスポット測光モードおよび中央重点平均測光モードにおける制御用情報を含むことを特徴とする。
【００２０】
また、請求項１４に記載の発明に係るデジタル一眼レフカメラは、請求項９乃至請求項１３のいずれかに記載のデジタル一眼レフカメラであって、前記第１の露出制御手段は、前記光学ファインダ近傍に設置された測光センサを含み、前記第２の露出制御手段は、撮像素子からの画像出力を利用して測光を行う、ことを特徴とする。
【００２１】
また、請求項１５に記載の発明に係るデジタル一眼レフカメラは、請求項１４に記載のデジタル一眼レフカメラであって、前記第２の露出制御手段は、前記クイックリターンミラーが前記アップ位置にあるときに、前記画像出力の色に関する色情報を用いて前記被写体から主被写体を検出することにより前記主被写体の位置に関する主被写体位置情報を生成し、前記第１の露出制御手段は、前記クイックリターンミラーが前記常設位置にあるときに、前記第２の露出制御手段により生成された前記主被写体位置情報を用いて位相差を利用した露出制御を行うことを特徴とする。
【発明の効果】
【００２２】
本発明に係るデジタル一眼レフカメラにおいては、クイックリターンミラーを常設位置とアップ位置との間で移動させる場合に、移動前に記憶された情報を用いて移動後の制御を行う。従って、制御を効率的に行うことが可能となる。よって、無駄な動きを低減しスムーズな切り替えを行うことが可能となる。
【発明を実施するための最良の形態】
【００２３】
＜第１実施形態＞
本発明の第１実施形態に係るデジタル一眼レフカメラは、光学ファインダモードとライブビューモードとを切り替えるときに、切り替え前に得られた、ＡＦ（自動焦点制御）に関する焦点制御情報およびＡＥ（自動露出制御）に関する露出制御情報を記憶しておき、切り替え後に用いることを特徴とする。焦点制御情報としては、切り替え前に測定された測光値および、測光における被写体の表示画面上での２次元位置に関する情報が用いられ、露出制御情報としては、切り替え前に測定された測距値および、測距における被写体の表示画面上での２次元位置に関する情報が用いられる。
【００２４】
＜構成＞
図１は、本発明の第１実施形態に係るデジタル一眼レフカメラ１００の背面図である。図２は、デジタル一眼レフカメラ１００の側面からの断面図である。以下、図１〜２を用いて、デジタル一眼レフカメラ１００の各部の機能について説明する。
【００２５】
カメラボディ１０１のマウント部には、撮像用の交換式レンズ部１０２が装着されている。交換式レンズ部１０２は、フォーカスレンズ１０３を含む複数のレンズを内蔵している。カメラボディ１０１と交換式レンズ部１０２とは、交信端子を通じてデータ通信を行っている。
【００２６】
背面モニタ１０７は、液晶板、有機ＥＬ板、またはプラズマ表示装置等からなり、撮像中のライブビュー画像や記憶された画像等を表示する表示装置である。
【００２７】
クイックリターンミラー１１１は、図２（ａ）に示されるような常設位置にあるときには、交換式レンズ部１０２を通過した被写体光を、反射させることにより上方に送る。上方に送られた被写体光は、ペンタプリズム１１３を通って、光学ファインダ１０４およびその近傍に設置された測光センサ１０８に導かれる。光学ファインダ１０４は、接眼レンズ１０５を有し、クイックリターンミラー１１１とペンタプリズム１１３との間に介在する図示しない焦点板に結像された被写体を視認可能とするものである。測光センサ１０８は、受光部が例えばハニカム状の多数の測光エリアに分割され各測光エリアについて個別に測光値を得られる多分割型測光センサである。
【００２８】
クイックリターンミラー１１１の中央部はハーフミラーとなっており、被写体光の一部を透過させる。また、クイックリターンミラー１１１は、図２（ｂ）に示されるように、ペンタプリズム１１３側に回転することによりアップ位置に移動したときには、撮像素子１１６への光路を確保する。これにより、撮像が可能となる。
【００２９】
サブミラー１１２は、クイックリターンミラー１１１の後方に配置されており、クイックリターンミラー１１１により透過された被写体光を反射させることにより、カメラボディ１０１底部に配置された位相差ＡＦモジュール１１４に送る。
【００３０】
位相差ＡＦモジュール１１４は、サブミラー１１２により送られた被写体光を２つに分割した後にセンサアレイで受光することによりピントのずれ量すなわちデフォーカス量を求める。
【００３１】
撮像素子１１６は、ＣＣＤやＣ−ＭＯＳ等からなる２次元センサとしての光電変換素子であり、その直前には図示しないローパスフィルタが設置されている。
【００３２】
シャッター１１５は、撮像素子１１６の直前に配置されたフォーカルプレーンシャッターである。
【００３３】
図３は、デジタル一眼レフカメラ１００の詳細な構成を示すブロック図である。
【００３４】
図３において、制御部１２１は、操作部１４０から入力されるユーザ指示やレンズ位置検出部１２３により検出されるフォーカスレンズ１０３の位置等に基づき、デジタル一眼レフカメラ１００全体の制御を行うメイン・マイコンである。
【００３５】
操作部１４０には、図１に示されるメインスイッチ１４１、モード設定ダイヤル１４２、設定ボタン群１４３、および図２に示されていないレリーズボタン等によりユーザ指示が入力される。レリーズボタンは、撮像を指示するためのボタンであり、測光および測距等の撮像準備動作開始を指示する半押し（Ｓ１）と本撮像動作（露光動作）開始を指示する全押し（Ｓ２）との２段階のスイッチから構成されている。
【００３６】
制御部１２１は、レンズ位置検出部１２３を用いて、交換式レンズ部１０２内のフォーカスレンズ１０３の位置を検出する。また、制御部１２１は、フォーカス制御部１２４を用いてモータＭ１を制御することにより、交換式レンズ部１０２内のフォーカスレンズ１０３を駆動する。すなわち、位相差ＡＦモジュール１１４により求められたデフォーカス量に応じてフォーカスレンズ１０３を移動させることにより、焦点制御を行うことが可能となる。この駆動力は、カメラボディ１０１のマウント部に配置された図示しないカプラにより伝達される。あるいは、このモータＭ１は、交換式レンズ部１０２内に配置されてもよい。
【００３７】
制御部１２１は、ミラー制御部１２５を用いてモーターＭ２を制御することにより、ミラー機構１２６内のクイックリターンミラー１１１およびサブミラー１１２を駆動する。
【００３８】
制御部１２１は、シャッター制御部１２７を用いてモータＭ３を制御することにより、シャッター１１５を駆動する。
【００３９】
制御部１２１は、タイミング制御回路１２８を用いて、ＣＣＤからなる撮像素子１１６、信号処理部１２９、およびＡ／Ｄ変換部１３０を制御する。
【００４０】
撮像素子１１６において撮像された画像は、信号処理部１２９およびＡ／Ｄ変換部１３０において画像データに変換され、画像処理部１５０に入力される。この画像データは、画像処理部１５０において、黒レベル補正回路１５１、ＷＢ補正回路１５２、およびγ補正回路１５３で各補正処理を行われ、画像メモリ１５４に記憶される。この画像処理部１５０は、制御部１２１と同一のＩＣ内に配置されてもよく、また、制御部１２１とは別のＩＣ内に配置されてもよい。
【００４１】
画像処理部１５０において処理された画像データは、ＶＲＡＭ１７１を用いてＥＶＦ１７２または背面モニタ１０７において表示されたり、カードＩ／Ｆ１７５を用いてメモリカード１７６に記録されたり、ＵＳＢ等で規格化された通信用Ｉ／Ｆ１７７を用いて外部へ送信されたりする。
【００４２】
制御部１２１は、必要に応じて、フラッシュ回路１６１を介してフラッシュ１６２を発光させたり、ＡＦ補助光発光部１６３を発光させたりする。
【００４３】
図１において、モード設定ダイヤル１４２は、撮像モード、再生モード、音声メモモード、通信モード、および設定モード等のモードを設定するためのダイヤルである。
【００４４】
設定ボタン群１４３は、メニュー画面の設定、画像の削除、またはＦＦＰ（フレックスフォーカスポイント）モードの設定等を行うための複数のボタンからなる。また、設定ボタン群１４３には、光学ファインダモードとライブビューモードとを切り替えるための切り替えボタン１４５が含まれている。
【００４５】
ジョグダイヤル１４４は、上下左右等に複数の接点を有するダイヤルであり、中央に別部材からなるプッシュボタンを有している。撮像モードにおいては、上下いずれかの接点をオンさせることによりズーム操作が行われる。設定モードにおいては、上下左右いずれかの接点をオンさせることにより、背面モニタ１０７に表示されたモードや値の選択が行われる。撮像モードにおいては、プッシュボタンを押下することにより、ＦＦＰモードが起動される。
【００４６】
＜動作＞
まず、デジタル一眼レフカメラ１００の使用環境について説明する。デジタル一眼レフカメラ１００は、ユーザにより三脚に固定されて撮像を行うものとする。撮像対象は、風景のような静止画像や、あるいは学芸会のような動画像のいずれであってもよい。
【００４７】
ユーザは、光学ファインダモードにおいて、光学ファインダ１０４を通して被写体を観察する。そして、レリーズボタンを半押しすると、測光および測距が行われる。測距は、１１個のＡＦフレームから１個のＡＦフレームを選択して行われる。また、測光においては、１４個の測光エリアから、測距において選択されたＡＦフレームに対応する位置の１個の測光エリアが選択され、この測光エリアにおける測光値に基づき、シャッター速度や絞り値等の露出制御値が決定される。決定された露出制御値は、光学ファインダ１０４に表示される。
【００４８】
次に、ユーザは、光学ファインダ１０４から目を離し背面モニタ１０７を見るとともに、切り替えボタン１４５を押下することにより光学ファインダモードからライブビューモードへの切り替えを行う。このとき、制御部１２１は、クイックリターンミラー１１１を常設位置からアップ位置に移動させた後にシャッター１１５を開け撮像素子１１６における撮像を開始させる。撮像された画像は、背面モニタ１０７にライブビューとして表示される。
【００４９】
すなわち、切り替えボタン１４５は、本発明に係る操作手段として機能する。
【００５０】
次に、図４〜６を用いて、光学ファインダモードおよびライブビューモードそれぞれのモードにおいて、ＡＦを行う基本動作について説明する。
【００５１】
光学ファインダモードにおけるＡＦでは、位相差ＡＦモジュール１１４を用いた位相差ＡＦが行われる。また、ライブビューモードにおけるＡＦでは、被写体光が位相差ＡＦモジュール１１４に入射されず位相差ＡＦを行うことができないので、撮像素子１１６からの画像出力を用いた映像ＡＦが行われる。この映像ＡＦは、フォーカスレンズ１０３を移動させて撮像素子１１６からの画像出力のコントラストのピークを求めることにより行われる。
【００５２】
図４には、光学ファインダモードにて位相差ＡＦを行う場合に光学ファインダ１０４に表示されるファインダ表示枠１８１が示されている。ファインダ表示枠１８１には、位相差ＡＦのための測距点を示すＡＦフレーム１８２が１１個表示されている（ＡＦフレーム１８２ａ〜１８２ｋ）。後述するように、ＡＦフレーム１８２は、１１個の中から被写体に対応するもののみが選択され、ＬＥＤ等により照明される。
【００５３】
図５には、背面モニタ１０７におけるライブビュー表示が示されている。設定ボタン群１４３に含まれる切り替えボタン１４５をユーザが押下することによりライブビューモードが設定されると、クイックリターンミラー１１１がアップ位置に移動し、背面モニタ１０７にライブビューが表示される。このライブビューにおいては、被写体画像に重ねて、焦点制御を行う位置がカーソルにより示される。
【００５４】
図６には、ライブビューモードにてコントラストを用いた映像ＡＦを行う場合に背面モニタ１０７に表示される液晶表示枠１８３が示されている。液晶表示枠１８３には、映像ＡＦのための測距点を示す測距エリア１８４が２５個表示されている（測距エリア１８４ａ〜１８４ｙ）。ライブビューモードにおいては、測距エリア１８４で映像ＡＦが行われる。映像ＡＦは、撮像素子１１６からの画像出力を利用して焦点制御を行うので、位相差ＡＦに比べて測距点を設定する自由度が高く、原理的には液晶表示枠１８３内の全ての領域で焦点制御が可能である。図６では、液晶表示枠１８３内の表示画面を縦５個×横５個のブロックに分割することにより、２５個の測距エリア１８４が設定されている。
【００５５】
すなわち、位相差ＡＦモジュール１１４は、本発明に係る第１の焦点制御手段として機能し、撮像素子１１６は、本発明に係る第２の焦点制御手段として機能する。
【００５６】
次に、図７〜８を用いて、光学ファインダモードおよびライブビューモードそれぞれのモードにおいて、ＡＥを行う基本動作について説明する。
【００５７】
光学ファインダモードにおけるＡＥでは、光学ファインダ１０４に隣接して配置された多分割型の測光センサ１０８が用いられる。また、ライブビューモードにおけるＡＥでは、被写体光が測光センサ１０８に入射されず測光センサ１０８を用いることができないので、撮像素子１１６からの画像出力が用いられる。
【００５８】
図７には、光学ファインダモードにてＡＥを行う場合に光学ファインダ１０４に表示されるファインダ表示枠１８１が示されている。ファインダ表示枠１８１には、ハニカム状に分割された１３個のセル領域である測光エリアＣ１〜１３およびその周辺セル領域である１個の測光エリアＣ１４が表示されている。
【００５９】
図８には、ライブビューモードにてＡＥを行う場合に背面モニタ１０７に表示される液晶表示枠１８３が示されている。図６におけるＡＦと同様に、液晶表示枠１８３には、撮像素子１１６による測光のための測光点を示す測光エリア１８６が２５個表示されている（測光エリア１８６ａ〜１８６ｙ）。また、撮像素子１１６からの画像出力を利用して露出制御を行う場合には、測光センサ１０８を用いる場合に比べて測光点を設定する自由度が高く、原理的には液晶表示枠１８３内の全ての領域で露出制御が可能である。従って、測光エリア１８６は、図７と同様に、ハニカム状に１４個に設定されてもよい。
【００６０】
すなわち、測光センサ１０８は、本発明に係る第１の露出制御手段として機能し、撮像素子１１６は、本発明に係る第２の露出制御手段として機能する。
【００６１】
次に、図９〜１２を用いて、光学ファインダモードおよびライブビューモードそれぞれのモードでの、各表示枠における被写体の２次元位置情報の対応について説明する。
【００６２】
図９では、図４に示される１１個のＡＦフレーム１８２と、図６に示される２５個の測距エリア１８４と、図７に示される１４個の測光エリアＣ１〜Ｃ１４と、図８に示される２５個の測光エリア１８６とが重ね合わされた様子が示されている。図１６を用いて後述するように、これらの位置関係を、テーブル形式等で保持しておくことにより、例えば、光学ファインダモードからライブビューモードに切り替えるときに、表示画面での被写体の２次元位置情報を引き継ぐことが可能となる。
【００６３】
図１０には、光学ファインダモードにて位相差ＡＦを行う場合に光学ファインダ１０４に表示されるファインダ表示枠１８１が示されている。すなわち、図１０は、図４において、３人の被写体２０１〜２０３を表示させたものである。１１個のＡＦフレーム１８２のうち、３個のＡＦフレーム１８２が、それぞれ被写体２０１〜２０３に対応しており、ＬＥＤ等により照明されている（図１０においては、これら３個のＡＦフレーム１８２は黒く塗られている）。また、被写体２０１は、これら３人の被写体２０１〜２０３のうちの主被写体として選択されている（図１０においては、この被写体２０１は薄くハッチングされている）。なお、このような主被写体の検出は、各被写体２０１〜２０３に色に関する色情報（肌色等）を用いることにより容易に行うことが可能となる。
【００６４】
図１１には、ライブビューモードにて映像ＡＦを行う場合に背面モニタ１０７に表示される液晶表示枠１８３が示されている。すなわち、図１１は、図６において、３人の被写体２０１〜２０３を表示させたものである。２５個の測距エリア１８４のうち、３個の測距エリア１８４が、それぞれ被写体２０１〜２０３に対応している（図１１においては、これら３個の測距エリア１８４は濃くハッチングされている）。図９の対応関係を表すテーブルを用いることにより、図１０において選択されている３個のＡＦフレーム１８２の位置から図１１において選択されている３個の測距エリア１８４の位置を求めることができる。すなわち、光学ファインダモードからライブビューモードに切り替わったときには、図１１における全ての測距エリア１８４において測距を行う必要はなく、被写体２０１〜２０３に対応している３個の測距エリア１８４においてのみ測距を行えばよい。これにより、効率的に焦点制御を行うことが可能となる。また、位置情報に加えて、これら３人の被写体２０１〜２０３のうち被写体２０１が主被写体として選択されていることを示す主被写体情報を引き継ぐことにより、さらに効率的に焦点制御を行うことが可能となる。
【００６５】
図１２には、光学ファインダモードにて測光センサ１０８を用いたＡＥを行う場合に光学ファインダ１０４に表示されるファインダ表示枠１８１が示されている。すなわち、図１２は、図７において、１人の被写体２１０を表示させたものである。１４個の測光エリアＣ１〜Ｃ１４のうち、３個の測光エリアＣ８，Ｃ１２，Ｃ１３が、被写体２１０に対応している（図１２においては、この測光エリアＣ８，Ｃ１２，Ｃ１３は濃くハッチングされている）。
【００６６】
図１３には、ライブビューモードにて撮像素子１１６からの画像出力を用いた測光を行う場合に背面モニタ１０７に表示される液晶表示枠１８３が示されている。すなわち、図１３は、図８において、１人の被写体２１０を表示させたものである。２５個の測光エリア１８６のうち、６個の測光エリア１８６が、被写体２１０に対応している（図１３においては、これら６個の測光エリア１８６は濃くハッチングされている）。図９の対応関係を表すテーブルを用いることにより、図１２において選択されている３個の測光エリアＣ８，Ｃ１２，Ｃ１３の位置から図１３において選択されている６個の測光エリア１８６の位置を求めることができる。すなわち、光学ファインダモードからライブビューモードに切り替わったときには、全ての測光エリア１８６において測光を行う必要はなく、被写体２１０に対応している６個の測光エリア１８６においてのみ測光を行えばよい。これにより、効率的に露出制御を行うことが可能となる。また、測距の場合と同様に、被写体が複数人からなる場合には、どの被写体が主被写体として選択されているという情報を引き継ぐことにより、さらに効率的に焦点制御を行うことが可能となる。
【００６７】
次に、図１４〜１５のフローチャートを用いて、光学ファインダモードおよびライブビューモードそれぞれのモードにおいて、ＡＦおよびＡＥを行う詳細動作について説明する。
【００６８】
まず、ステップＳ１において、メインスイッチ１４１により電源がオンになったかどうかを判断し、オンになった場合にのみステップＳ２に進む。
【００６９】
次に、ステップＳ２において、光学ファインダモードでの表示が開始される。
【００７０】
次に、ステップＳ３に進み、切り替えボタン１４５をユーザが押下することによりライブビューモードが設定されたかどうかを判断する。ライブビューモードが設定された場合にはステップＳ２１に進み（図１４，１５のＡ）、ライブビューモードが設定されていない場合にはステップＳ４に進む。
【００７１】
次に、ステップＳ４において、レリーズボタンが半押しされた（Ｓ１オン）かどうかを判断する。レリーズボタンが半押しされた場合にはステップＳ５に進み、レリーズボタンが半押しされていない場合にはステップＳ３に進む。
【００７２】
次に、ステップＳ５において、測光センサ１０８を用いて多分割測光を行う。
【００７３】
次に、ステップＳ６に進み、位相差ＡＦモジュール１１４を用いて測距を行う。
【００７４】
次に、ステップＳ７に進み、ステップＳ５において求められた測光値およびステップＳ６において求められた測距値を測定情報としてメモリに記憶させる。このとき、ステップＳ５の測光およびステップＳ６の測距における被写体の位置情報についても、測定情報としてメモリに記憶させる。この位置情報は、例えば、ステップＳ５の測光では、図１２において被写体２１０に対応する３個の測光エリアＣ８，Ｃ１２，Ｃ１３の位置を表し、ステップＳ６の測距では、図１０において被写体２０１〜２０３に対応する３個のＡＦフレーム１８２の位置を表す情報である。
【００７５】
次に、ステップＳ８に進み、ステップＳ５において求められた測光値に基づき露出制御値を求め露出制御を行う。
【００７６】
次に、ステップＳ９に進み、ステップＳ６において求められた測距値に基づきデフォーカス量を求めフォーカスレンズ１０３を駆動させる。これにより、合焦が行われる。
【００７７】
次に、ステップＳ１０に進み、光学ファインダー１０４に合焦表示を行う。
【００７８】
次に、ステップＳ１１に進み、レリーズボタンが全押しされた（Ｓ２オン）かどうかを判断する。レリーズボタンが全押しされた場合にはステップＳ１２に進み、レリーズボタンが全押しされていない場合にはステップＳ３に進む。
【００７９】
次に、ステップＳ１２において、クイックリターンミラー１１１をアップ（アップ位置に移動）させる。
【００８０】
次に、ステップＳ１３に進み、シャッター１１５を開ける。
【００８１】
次に、ステップＳ１４に進み、撮像素子１１６を用いて本撮像（露光）を行う。
【００８２】
次に、ステップＳ１５に進み、シャッター１１５を閉じる。
【００８３】
次に、ステップＳ１６に進み、クイックリターンミラー１１１をダウン（常設位置に移動）させる。
【００８４】
次に、ステップＳ１７に進み、ステップＳ１４で本撮像された画像を画像処理部１５０で処理させる。
【００８５】
次に、ステップＳ１８に進み、ステップＳ１７で処理された画像をメモリカード１７６等に記録する。以上のステップＳ１〜Ｓ１８の動作により、光学ファインダモードでの本撮像および記録が行われる。
【００８６】
一方、ステップＳ３において、ライブビューモードが設定された場合には、ステップＳ２１に進み、ライブビューモードでの表示が開始される。
【００８７】
次に、ステップＳ２２に進み、クイックリターンミラー１１１をアップさせる。
【００８８】
次に、ステップＳ２３に進み、シャッター１１５を開ける。
【００８９】
次に、ステップＳ２４に進み、撮像素子１１６の駆動を開始させる。
【００９０】
次に、ステップＳ２５に進み、撮像素子１１６において得られる画像を背面モニタ１０７上でライブビュー表示させる。
【００９１】
次に、ステップＳ２６に進み、光学ファインダモードでステップＳ７において記憶された測光値、測距値および位置情報について、ライブビューモードで反映させる設定がなされているかどうかを判断する。反映させる設定がなされている場合にはステップＳ２７に進み、反映させる設定がなされていない場合にはステップＳ３７に進む。なお、光学ファインダモードにおいて測光値および測距値を得る前にライブビューモードに切り替えられた場合（すなわち、光学ファインダモードにおいて、レリーズボタンが半押しされる前に切り替えボタン１４５が押下された場合）についても、反映させるべき測光値および測距値がないので、ステップＳ３７に進む。
【００９２】
次に、ステップＳ２７において、ステップＳ７で記憶された測光値および位置情報に基づき露出制御値を求め露出制御を行う。すなわち、図１２において記憶された３個の測光エリアＣ８，Ｃ１２，Ｃ１３の位置を用いることで、図１３において被写体２１０に対応する６個の測光エリア１８６の位置を速やかに求めることができる。また、光学ファインダモードにおいて記憶された測光値を用いることで、ライブビューモードにおけるシャッター１１５のスピード、絞り値、および画像出力のゲイン（増幅率）等を含む露出制御値を適切に決定することができる。ライブビューモードにおいては、シャッター１１５のスピードは、撮像素子１１６の露光時間（すなわちＣＣＤにおける積分時間）に相当する。
【００９３】
すなわち、光学ファインダモードにおいて記憶された測光エリアＣ８，Ｃ１２，Ｃ１３における測光値が所定の範囲内にある場合には、ＩＳＯ感度に相当するゲインを標準値（例えば、ＩＳＯ１００）に設定する。また、例えば、上記の測光値が所定の範囲より小さい場合には、ゲインを標準値より高く設定することにより感度を上げる（例えば、ＩＳＯ２００またはＩＳＯ４００）。なお、ステップＳ７では、測光エリアＣ１〜Ｃ１４全てにおける測光値を記憶してもよく、あるいは、測光エリアＣ８，Ｃ１２，Ｃ１３のみにおける測光値を記憶してもよい。
【００９４】
ライブビューモードにおいては、撮像素子１１６により画像が繰り返し撮像され、背面モニタ１０７に順次ライブビュー表示される。このライブビュー表示は、１秒間に３０フレームの画像が表示される。従って、撮像素子１１６における積分時間は、ライブビュー表示においては、本撮像時に比べて制限されるので、本撮像時とは異なった値となる。よって、絞り値、ゲイン等も、本撮像時とは異なった値となる。本実施の形態においては、測光エリアＣ８，Ｃ１２，Ｃ１３における測光値を利用して、ライブビュー表示に適した撮像素子１１６における積分時間、絞り値、ゲイン等が決定される。
【００９５】
次に、ステップＳ２８に進み、ステップＳ７において記憶された測距値および位置情報に基づきデフォーカス量を求めフォーカスレンズ１０３を駆動させることにより合焦を行う。すなわち、図１０において記憶された３個のＡＦフレーム１８２の位置を用いることで、図１１において被写体２０１〜２０３に対応する３個の測距エリア１８４の位置を速やかに求めることができる。また、光学ファインダモードにおいて記憶された測距値を用いるので、ライブビューモードにおける焦点制御をスムーズに行うことができる。すなわち、本実施形態においては、光学ファインダモードにおいてステップＳ９で合焦が行われるので、例えばモード切り替えの前後で焦点位置が変化しない場合には、ステップＳ２８においてフォーカスレンズ１０３の位置は移動しない。
【００９６】
次に、ステップＳ２９に進み、レリーズボタンが半押し（Ｓ１オン）されたかどうかを判断し、レリーズボタンが半押しされた場合にのみステップＳ３０に進む。
【００９７】
次に、ステップＳ３０において、確認のために、撮像素子１１６を用いて測距を行う。
【００９８】
次に、ステップＳ３１に進み、ステップＳ３０において求められた測距値に基づきデフォーカス量を求めフォーカスレンズ１０３を駆動させる。これにより、確認のための合焦が行われる。
【００９９】
次に、ステップＳ３２に進み、背面モニタ１０７に合焦表示を行う。
【０１００】
次に、ステップＳ３３に進み、レリーズボタンが全押し（Ｓ２オン）されたかどうかを判断する。レリーズボタンが全押しされた場合にはステップＳ３４に進み、レリーズボタンが全押しされていない場合にはステップＳ２９に進む。
【０１０１】
次に、ステップＳ３４において、撮像素子１１６を用いて本撮像（露光）を行う。
【０１０２】
次に、ステップＳ３５に進み、ステップＳ３４で本撮像された画像を画像処理部１５０で処理させる。
【０１０３】
次に、ステップＳ３６に進み、ステップＳ３５で処理された画像をメモリカード１７６等に記録する。
【０１０４】
一方、ステップＳ２６において、光学ファインダモードでステップＳ７において記憶された測光値、測距値および位置情報について、ライブビューモードで反映させる設定がなされていない場合等には、ステップＳ３７に進む。
【０１０５】
次に、ステップＳ３７において、撮像素子１１６を用いて測光を行う。
【０１０６】
次に、ステップＳ３８に進み、撮像素子１１６を用いて測距を行う。
【０１０７】
次に、ステップＳ３９に進み、ステップＳ３７において求められた測光値に基づき露出制御値を求め露出制御を行う。
【０１０８】
次に、ステップＳ４０に進み、ステップＳ３８において求められた測距値に基づきデフォーカス量を求めフォーカスレンズを駆動させることにより合焦を行った後に、ステップＳ２９に進む。以上のステップＳ２１〜Ｓ４０の動作により、ライブビューモードでの本撮像および記録が行われる。
【０１０９】
図１６は、図９に示される位置関係を示すテーブルである。すなわち、ＡＦフレーム１８２、測距エリア１８４、測光エリアＣ１〜Ｃ１４、および測光エリア１８６は、それぞれ、独立したセンサデバイスであるので、デジタル一眼レフカメラ１００は、これらの位置関係をテーブル形式等で記憶しておく必要がある。図１６に示されるように、ＡＦフレーム１８２、測光エリアＣ１〜Ｃ１４、および測距エリア１８４は、それぞれ個数が異なるので、必ずしも１対１には対応しない。従って、図１０に示されるように、選択されたＡＦフレームの位置によっては、２個の測光エリアまたは２個の測距エリアに渡って位置情報を反映させてもよい。このとき、２個の測光エリアまたは２個の測距エリアを等しい重みで選択してもよく、あるいは、選択されたＡＦフレームにより近い一方をより大きい重みで選択し、選択されたＡＦフレームにより遠い他方をより小さい重みで選択してもよい。あるいは、２個の測光エリアまたは２個の測距エリアのうち、選択されたＡＦフレームにより近い一方のみを選択してもよい。
【０１１０】
例えば、図１０に示される主被写体としての被写体２０１は、ＡＦフレーム１８２ｇに対応している。図１６に示されるテーブルにおいて、ＡＦフレーム１８２ｇは、測距エリア１８４ｎに対応している。従って、ライブビューモードへの切り替えが行われた場合には、測距エリア１８４ｎにおいて映像ＡＦが行われる。
【０１１１】
上記のライブビューモードへの切り替えが位相差ＡＦでの合焦が完了する前に行われた場合には、デジタル一眼レフカメラ１００は、クリックリターンミラー１１１をアップさせシャッター１１５を開けて、位相差ＡＦにおいて得られた情報に基づきフォーカスレンズ１０３を合焦位置付近まで移動させた後に、測距エリア１８４ｎにおける映像ＡＦを開始させる。
【０１１２】
このように、本実施の形態に係るデジタル一眼レフカメラ１００においては、光学ファインダモードとライブビューモードとを切り替えるときに、切り替え前に得られた情報を切り替え後の制御に反映させる。従って、制御を効率的に行うことが可能となる。よって、フォーカスレンズ１０３等の無駄な動きを低減しスムーズな切り替えを行うことが可能となる。
【０１１３】
なお、以上においては、光学ファインダモードからライブビューモードに切り替える場合について説明したが、これに限らず、ライブビューモードから光学ファインダモードに切り替える場合であってもよい。
【０１１４】
また、デジタル一眼レフカメラ１００においては、画像は、静止画撮像モードでは光学ファインダ１０４で観察され動画撮像モードでは背面モニタ１０７で観察される。従って、静止画撮像モードと動画撮像モードとの切り替えにおいても、同様に、切り替え前に得られた情報を切り替え後の制御に反映させることにより、制御を効率的に行うことが可能となる。なお、この切り替えは、レリーズボタンを用いて行われる。すなわち、レリーズボタンは、本発明に係る操作手段として機能する。
【０１１５】
また、以上においては、光学ファインダモードにおいて、測定された測距値に基づきフォーカスレンズ１０３を移動させ合焦を行った後に、ライブビューモードを開始する場合について説明した。しかし、光学ファインダモードにおいては、測距値の測定のみを行い、ライブビューモードを開始した後に、この測距値に基づきフォーカスレンズ１０３を移動させ合焦を行ってもよい。
【０１１６】
また、焦点制御においては、被写体の位置によりスポットＡＦモードまたはワイドＡＦモードが選択可能であるが、これらのモードのうち切り替え前にどちらが選択されているかの情報を記憶しておき切り替え後に反映させることにより、制御をさらに効率的に行うことが可能となる。
【０１１７】
また、焦点制御においては、被写体が移動する方向を予測する動体予測ＡＦモードが選択可能であるが、切り替え前に被写体の移動する方向を予測しこれに関する情報を記憶しておき切り替え後に反映させることにより、制御をさらに効率的に行うことが可能となる。
【０１１８】
また、測距動作または測光動作においては、一旦測定した測距値または測光値を、レリーズボタンを半押しすることによりそのまま固定できるＡＦロックまたはＡＥロックが用いられるが、切り替え前に固定された状態を記憶しておき切り替え後に反映させることにより、制御をさらに効率的に行うことが可能となる。
【０１１９】
また、以上においては、図１２および図１３を用いて、多分割測光を行う場合について説明したが、多分割測光に限らず、中央重点平均測光またはスポット測光を行ってもよい。
【０１２０】
図１７には、中央重点平均測光を行う場合において、光学ファインダモードにて光学ファインダ１０４に表示されるファインダ表示枠１８１が示されている。図１７に示されるように、中央重点平均測光においては、中央の測光エリアＣ７およびその左右にそれぞれ隣接する測光エリアＣ６，Ｃ８の計３個は、その外側の１１個の測光エリアＣ１〜Ｃ５，Ｃ９〜Ｃ１４に比べて大きい重みで測光される。図１８は、図１７に対応させて、背面モニタ１０７におけるライブビュー表示が示されている。図１８においては、中央の測光エリア１８６ｍおよびその左右にそれぞれ隣接する測光エリア１８６ｌ，１８６ｎの計３個は、その外側の２２個の測光エリア１８６に比べて大きい重みで測光される。
【０１２１】
図１９には、スポット測光を行う場合において、光学ファインダモードにて光学ファインダ１０４に表示されるファインダ表示枠１８１が示されている。図１９に示されるように、スポット測光においては、中央の測光エリアＣ７のみにおいて測光が行われる。図２０は、図１９に対応させて、背面モニタ１０７におけるライブビュー表示が示されている。図２０においては、中央の１個の測光エリア１８６ｍのみにおいて測光が行われる。
【０１２２】
このように、切り替え前に中央重点平均測光またはスポット測光により測定された測光値を制御用情報として切り替え後に反映させることにより、多分割測光の場合と同様に、制御を効率的に行うことが可能となる。
【図面の簡単な説明】
【０１２３】
【図１】本発明の第１実施形態に係るデジタル一眼レフカメラの背面図である。
【図２】デジタル一眼レフカメラの側面からの断面図である。
【図３】デジタル一眼レフカメラの詳細な構成を示すブロック図である。
【図４】光学ファインダに表示されるＡＦフレームを示す図である。
【図５】デジタル一眼レフカメラの背面図である。
【図６】背面モニタに表示される測距エリアを示す図である。
【図７】光学ファインダに表示される測光エリアを示す図である。
【図８】背面モニタに表示される測光エリアを示す図である。
【図９】ＡＦフレーム、測距エリア、および測光エリアの位置関係を示す図である。
【図１０】光学ファインダに表示されるＡＦフレームを示す図である。
【図１１】背面モニタに表示される測距エリアを示す図である。
【図１２】光学ファインダに表示される測光エリアを示す図である。
【図１３】背面モニタに表示される測光エリアを示す図である。
【図１４】ＡＦおよびＡＥを行う詳細動作を示すフローチャートである。
【図１５】ＡＦおよびＡＥを行う詳細動作を示すフローチャートである。
【図１６】位置関係を対応させるテーブルを示す図である。
【図１７】光学ファインダに表示される測光エリアを示す図である。
【図１８】背面モニタに表示される測光エリアを示す図である。
【図１９】光学ファインダに表示される測光エリアを示す図である。
【図２０】背面モニタに表示される測光エリアを示す図である。
【符号の説明】
【０１２４】
１００  デジタル一眼レフカメラ
１０１  カメラボディ
１０２  交換式レンズ部
１０３  フォーカスレンズ
１０４  光学ファインダ
１０５  接眼レンズ
１０７  背面モニタ
１０８  測光センサ
１１１  クイックリターンミラー
１１２  サブミラー
１１３  ペンタプリズム
１１４  位相差ＡＦモジュール
１１５  シャッター
１１６  撮像素子
１２１  制御部
１２３  レンズ位置検出部
１２４  フォーカス制御部
１２５  ミラー制御部
１２６  ミラー機構
１２７  シャッター制御部
１２８  タイミング制御回路
１２９  信号処理部
１３０  Ａ／Ｄ変換部
１４０  操作部
１４１  メインスイッチ
１４２  モード設定ダイヤル
１４３  設定ボタン群
１４４  ジョグダイヤル
１４５  切り替えボタン
１５０  画像処理部
１５１  黒レベル補正回路
１５２  ＷＢ補正回路
１５３  γ補正回路
１５４  画像メモリ
１６１  フラッシュ回路
１６２  フラッシュ
１６３  ＡＦ補助光発光部
１７１  ＶＲＡＭ
１７２  ＥＶＦ
１７５  カードＩ／Ｆ
１７６  メモリカード
１７７  通信用Ｉ／Ｆ
１８１  ファインダ表示枠
１８２  ＡＦフレーム
１８３  液晶表示枠
１８４  測距エリア
１８６，Ｃ１〜Ｃ１４  測光エリア
【図１】
2006163094.tif 000003
【図２】
2006163094.tif 000004
【図３】
2006163094.tif 000005
【図４】
2006163094.tif 000006
【図５】
2006163094.tif 000007
【図６】
2006163094.tif 000008
【図７】
2006163094.tif 000009
【図８】
2006163094.tif 000010
【図９】
2006163094.tif 000011
【図１０】
2006163094.tif 000012
【図１１】
2006163094.tif 000013
【図１２】
2006163094.tif 000014
【図１３】
2006163094.tif 000015
【図１４】
2006163094.tif 000016
【図１５】
2006163094.tif 000017
【図１６】
2006163094.tif 000018
【図１７】
2006163094.tif 000019
【図１８】
2006163094.tif 000020
【図１９】
2006163094.tif 000021
【図２０】
2006163094.tif 000022